(57)【要約】      （修正有）【課題】対象施設の外観を損ねないボール型電荷放散器を提供する。【解決手段】導電性材料からなり細長い形状の複数の突針を三次元放射状に配置して形成されたボール型電荷放散器２と、一端部がボール型電荷放散器２を支え他端部が防雷の対象施設１に固定される導体軸３と、導体軸３の他端部から地面まで延びた接地導線４と、を備える。そして、ボール型電荷放散器２は、複数の突針それぞれの先端部分以外の部分が所定の色彩が付与されている。【選択図】図１
0003172960.tif 000002
【実用新案登録請求の範囲】
【請求項１】
導電性材料からなり細長い形状の複数の突針を三次元放射状に配置して形成されたボール型電荷放散器と、一端部が前記ボール型電荷放散器を支え他端部が防雷の対象施設に固定される導体軸と、前記導体軸の他端部から地面まで延びた接地導線と、を備える防雷システムにおける前記ボール型電荷放散器であって、
前記ボール型電荷放散器は、前記複数の突針それぞれの先端部分以外の部分に所定の色彩が付与されている
ことを特徴とするボール型電荷放散器。
【請求項２】
前記複数の突針それぞれの先端部分以外の部分に、塗装処理により前記所定の色彩が付与されている
ことを特徴とする請求項１に記載のボール型電荷放散器。
【請求項３】
前記複数の突針それぞれの先端部分以外の部分に、アルマイト表面処理により前記所定の色彩が付与されている
ことを特徴とする請求項１に記載のボール型電荷放散器。
【請求項４】
導電性材料からなり細長い形状の複数の突針を三次元放射状に配置して形成されたボール型電荷放散器と、一端部が前記ボール型電荷放散器を支え他端部が防雷の対象施設に固定される導体軸と、前記導体軸の他端部から地面まで延びた接地導線と、を備える防雷システムにおける前記ボール型電荷放散器であって、
前記ボール型電荷放散器は、所定の色彩が付与されており、かつ、前記複数の突針それぞれの表面が導電性を有する
ことを特徴とするボール型電荷放散器。
【請求項５】
前記ボール型電荷放散器は、めっき処理により、前記所定の色彩が付与されており、かつ、前記複数の突針それぞれの表面が導電性を有する
ことを特徴とする請求項４に記載の雷対策施設。
【請求項６】
前記ボール型電荷放散器は、導電性塗料による塗装処理により、前記所定の色彩が付与されており、かつ、前記複数の突針それぞれの表面が導電性を有する
ことを特徴とする請求項４に記載の雷対策施設。
【請求項７】
前記所定の色彩は、マンセル表色系で、色相が５ＰＢ〜１ＰＢ，１０Ｂ〜１Ｂ、明度が９〜５、彩度はＰＢが５〜１２、Ｂが５〜８の範囲の空色、または、色相が全範囲、明度が０〜３、彩度が０〜５の範囲の黒色であることを特徴とする請求項１から請求項６のいずれか一項に記載のボール型電荷放散器。
【請求項８】
前記所定の色彩は、前記防雷の対象施設の外面の色彩と同じか類似する色彩であることを特徴とする請求項１から請求項６のいずれか一項に記載のボール型電荷放散器。
【請求項９】
前記ボール型電荷放散器は、表面につや消し処理が施されていることを特徴とする請求項７または請求項８に記載のボール型電荷放散器。
【請求項１０】
前記所定の色彩は、金色、銀色、銅色、または、マンセル表色系で色相が５ＲＰ〜１０ＲＰ，１Ｒ〜８Ｒ、明度が４〜６、彩度はＲＰが７〜１２、Ｒが７〜１４の範囲の赤色であることを特徴とする請求項１から請求項６のいずれか一項に記載のボール型電荷放散器。
【考案の詳細な説明】
【技術分野】
【０００１】
本考案は、空中に電荷（イオン）を放散して空中電界を緩和することで、建築物などの対象施設の防雷（落雷の回避（遅延を含む。以下同様））を実現する防雷システムにおける電荷放散器の外観に関する。
【背景技術】
【０００２】
帯電した雷雲の接近により雷雲と地面との間に電界が形成され、その電界強度が徐々に高まっていくと、やがて大気絶縁の破壊に至り、雷雲と地面の間に放電が起こることがある。これが落雷である。落雷の対策として、対象施設またはその周辺に電荷放散器を設置し、雷雲下部の極性と逆の極性のイオンを空中に放散して対象施設の上空の電界を緩和することで、落雷を回避する技術が知られている。
【０００３】
電荷放散器には、傘型、ボール型、ワイヤ型など、種々の形状のものがある。ここでは、ボール型電荷放散器について考える。ボール型電荷放散器では、導電性材料からなり細長い形状の複数の突針が、三次元放射状に配置されている（特許文献１参照）。なお、ボール型電荷放散器は、複数の突針が遠くから見て球状に見えるため「ボール型」と称しているが、半球状や楕円球状などの類似形状のものも含むものとする。
【先行技術文献】
【特許文献】
【０００４】
【特許文献１】登録実用新案第３１６９０８１号公報
【考案の概要】
【考案が解決しようとする課題】
【０００５】
ボール型電荷放散器は、その性質から、対象施設におけるなるべく高い位置に設置されるため、目につきやすく、対象施設の外観（周囲の景観も含む。以下同様）を損ねる場合がある。例えば、図６に示すように、対象施設１の頂上部の両端に２つのボール型電荷放散器２がそれぞれ導体軸３を介して設置されている場合について考える。なお、導体軸３の下端部から地面７まで接地導線４が延び、接地導線４は接地部５で地面７と接地されている。
【０００６】
この場合、ボール型電荷放散器２の色彩が対象施設１の色彩や空６の色彩と調和していないと、ボール型電荷放散器２の存在によって対象施設１の外観が損なわれてしまうことがある。特に、対象施設が文化財や高デザイン性建築物等の場合、防雷の必要性が高くても、対象施設の外観を損ねるという理由で、電荷放散器の設置が敬遠される場合がある。また、ボール型電荷放散器は、電荷放散機能を確保する必要があるため、一般の非導電性塗料を全体に塗布することはできない。
【０００７】
そこで、本考案は、前記事情に鑑みてなされたものであり、対象施設の外観を損ねないボール型電荷放散器を実現することを課題とする。
【課題を解決するための手段】
【０００８】
前記課題を解決するために、本考案は、導電性材料からなり細長い形状の複数の突針を三次元放射状に配置して形成されたボール型電荷放散器と、一端部が前記ボール型電荷放散器を支え他端部が防雷の対象施設に固定される導体軸と、前記導体軸の他端部から地面まで延びた接地導線と、を備える防雷システムにおける前記ボール型電荷放散器であって、前記ボール型電荷放散器が、前記複数の突針それぞれの先端部分以外の部分に所定の色彩が付与されていることを特徴とする。
その他の手段については後記する。
【考案の効果】
【０００９】
本考案によれば、対象施設の外観を損ねないボール型電荷放散器を実現することができる。
【図面の簡単な説明】
【００１０】
【図１】空色の色彩が付与されたボール型電荷放散器を対象施設に設置した様子の例を示す図である。
【図２】ボール型電荷放散器および導体軸の拡大図である。
【図３】ボール型電荷放散器における突針の先端部の拡大図である。
【図４】対象施設の色彩と同じ色彩が付与されたボール型電荷放散器を対象施設に設置した様子の例を示す図である。
【図５】装飾的な色彩が付与されたボール型電荷放散器を対象施設に設置した様子の例を示す図である。
【図６】従来のボール型電荷放散器が設置された対象施設の外観が損なわれている様子の例を示す図である。
【考案を実施するための形態】
【００１１】
以下、本考案について図面を参照しながら説明する。なお、図１、図４〜図６の相違点は、ボール型電荷放散器２の色彩が異なっている点だけであり、重複説明を適宜省略する。また、本明細書において、「色彩」とは、色相、彩度、明度、その他見ている者に印象を与える視覚的要素の総称であるものとする。
【００１２】
図１に示すように、対象施設１の頂上部の両端に２つのボール型電荷放散器２がそれぞれ導体軸３を介して設置されている。詳述すると、ボール型電荷放散器２は、導電性材料からなり細長い形状の複数の突針２１（図２参照）を三次元放射状に配置して形成されている。ボール型電荷放散器２は全体が導電性材料からなる。なお、ボール型電荷放散器２の材質の一例を挙げれば、突針２１はＳＵＳ３１６、導体軸３はＳＵＳ３０４である。導体軸３は、一端部（上端部）がボール型電荷放散器２を支え、他端部（下端部）が対象施設１の頂上部の端に固定されている。なお、導体軸３の他端部（下端部）には、ベースと呼ばれる部材が通常用いられるが、ここではベースは導体軸３に含まれているものとして説明する。接地導線４は、導体軸３の下端部から地面７まで延び、接地部５で地面７と接地されている。
【００１３】
ここでは、ボール型電荷放散器２の色彩が、マンセル表色系で、色相が５ＰＢ（Purple Blue）〜１ＰＢ，１０Ｂ（Blue）〜１Ｂ、明度が９〜５、彩度はＰＢが５〜１２、Ｂが５〜８の範囲の空色（昼間の空の色、つまり、水色あるいはその周辺色）となっている。これにより、地面７に立つ者が対象施設１およびボール型電荷放散器２を見た場合、空６の色彩とボール型電荷放散器２の色彩が調和することで、対象施設１の外観が損なわれずに済む。
【００１４】
このボール型電荷放散器２の空色の色彩は、例えば、非導電性塗料を用いた塗装処理によって実現することができる。その際、ボール型電荷放散器２は、電荷放散機能を確保する必要があるため、例えば、図３に示すように、ボール型電荷放散器２の突針２１の直径をｄとするとき、突針２１の先端から２ｄの長さの領域２３には、塗料を塗らず、その他の領域２２に塗料を塗ればよい。そうすれば、ボール型電荷放散器２における電荷放散機能が阻害されない。
【００１５】
また、非導電性塗料を用いた塗装処理の代わりに、アルマイト表面処理を用いてもよい。アルマイト表面処理によれば、突針２１にアルミニウムの陽極酸化皮膜ができ、所望の色彩を実現するほか、耐食性、耐摩耗性等が向上するという効果も期待できる。
【００１６】
また、前記した各処理の代わりに、めっき処理を用いることもできる。その場合、突針２１の先端もめっき処理してよい。突針２１は、めっき処理をしても表面が導電性を有し、ボール型電荷放散器２における電荷放散機能が阻害されないからである。
【００１７】
また、前記した各処理の代わりに、導電性塗料による塗装処理を用いることもできる。その場合、突針２１の先端も導電性塗料による塗装処理をしてよい。突針２１は、導電性塗料による塗装処理をしても表面が導電性を有し、ボール型電荷放散器２における電荷放散機能が阻害されないからである。
【００１８】
次に、ボール型電荷放散器２の他の色彩の例について説明する。図４に示すように、ボール型電荷放散器２の色彩が、対象施設１の外面の色彩と同じか類似する色彩となっている。これにより、対象施設１の外部から対象施設１およびボール型電荷放散器２を見た場合、対象施設１の色彩とボール型電荷放散器２の色彩が調和することで、対象施設１の外観が損なわれずに済む。
【００１９】
次に、ボール型電荷放散器２の他の色彩の例について説明する。図５に示すように、ボール型電荷放散器２の色彩が、金色となっている。これにより、対象施設１の外部から対象施設１およびボール型電荷放散器２を見た場合、ボール型電荷放散器２が装飾的な役割をしているように見えることで、対象施設１の外観が損なわれずに済む。
【００２０】
以上で本実施形態の説明を終えるが、本考案の態様はこれらに限定されるものではない。
例えば、ボール型電荷放散器２の色彩は、マンセル表色系で色相が全範囲、明度が０〜３、彩度が０〜５の範囲の黒色またはその周辺色であってもよい。そうすれば、ボール型電荷放散器２が目立たないことで、対象施設１の外観が損なわれずに済む。
【００２１】
また、ボール型電荷放散器２に色彩を付与するほかに、表面につや消し処理を施してもよい。そうすれば、ボール型電荷放散器２による日光の反射が抑えられて目立たなくなり、対象施設１の外観がより損なわれずに済む。
また、ボール型電荷放散器２に装飾的な色彩を付与する場合、金色のほかに、銀色や、銅色、マンセル表色系で色相が５ＲＰ（Red Purple）〜１０ＲＰ，１Ｒ（Red）〜８Ｒ、明度が４〜６、彩度はＲＰが７〜１２，Ｒが７〜１４の範囲の赤色を用いてもよい。それらの色でも装飾的な効果が期待できるからである。
【００２２】
また、樹脂コーティングによってボール型電荷放散器２に色彩を付与してもよい。
また、突針２１の材料よりも高導電性の塗料等によって突針２１に色彩を付与してもよい。そうすれば、ボール型電荷放散器２の性能がさらに向上する。
【００２３】
また、ボール型電荷放散器２に色彩を付与することと併行して、防雷効果を損ねない範囲内でボール型電荷放散器２を変形させたり、設置場所を変えたりしてもよい。
その他、具体的な構成について、本考案の趣旨を逸脱しない範囲で適宜変更が可能である。
【符号の説明】
【００２４】
１      対象施設
２      ボール型電荷放散器
３      導体軸
４      接地導線
５      接地部
６      空
７      地面
２１    突針
【図２】
0003172960.tif 000003
【図３】
0003172960.tif 000004
【図１】
0003172960.tif 000005
【図４】
0003172960.tif 000006
【図５】
0003172960.tif 000007
【図６】
0003172960.tif 000008
【手続補正書】
【提出日】平成23年11月4日(2011.11.4)
【手続補正１】
【補正対象書類名】実用新案登録請求の範囲
【補正対象項目名】請求項５
【補正方法】変更
【補正の内容】
【請求項５】
前記ボール型電荷放散器は、めっき処理により、前記所定の色彩が付与されており、かつ、前記複数の突針それぞれの表面が導電性を有する
ことを特徴とする請求項４に記載のボール型電荷放散器。
【手続補正２】
【補正対象書類名】実用新案登録請求の範囲
【補正対象項目名】請求項６
【補正方法】変更
【補正の内容】
【請求項６】
前記ボール型電荷放散器は、導電性塗料による塗装処理により、前記所定の色彩が付与されており、かつ、前記複数の突針それぞれの表面が導電性を有する
ことを特徴とする請求項４に記載のボール型電荷放散器。